(57)【要約】      （修正有）【課題】給湯用のリモコンやスイッチ類等をキッチンの壁面に取付けることが困難な場合でも、これらを使い勝手の良い位置に容易に設置することを可能にするキッチン用機能ポールを提供する。【解決手段】キッチン用機能ポール２８は、垂直支持部２９と、操作パネル部３０とからなり、キッチンの床部から支持して、操作パネル部３０を一般居住者の腰部と頭部との間の高さ位置に配置する。垂直部支持部２９は中空パイプ等の金属棒によって構成することができる。キッチン用機能ポール２８は、好ましくはキッチンに設けられたシステムキッチン１６の通路側の側端面１６ｂに沿って設けることができる。【選択図】図５
2008079871.tif 000002
【特許請求の範囲】
【請求項１】
垂直支持部と、操作パネル部とからなり、キッチンの床部又は天井部から支持して、前記操作パネル部を一般居住者の腰部と頭部との間の高さ位置に配置するキッチン用機能ポール。
【請求項２】
前記垂直支持部が、金属棒によって構成される請求項１に記載のキッチン用機能ポール。
【請求項３】
キッチンに設けられたシステムキッチンの通路側の側端面に沿って設けられる請求項１又は２に記載のキッチン用機能ポール。
【発明の詳細な説明】
【技術分野】
【０００１】
本発明は、キッチンに取り付けて用いるキッチン用機能ポールに関する。
【背景技術】
【０００２】
近年、対面式キッチン等の機能性や利便性に富んだキッチンが多用されており（例えば、特許文献１、特許文献２参照）、このようなキッチンでは、数畳程度の広さのキッチンに、水槽、コンロ等が組み込まれたシステムキッチンが設けられると共に、冷蔵庫、食器棚等が配置されるため、露出する壁面が極僅かとなった間取りとなりやすい。
【０００３】
このような間取りのキッチンでは、例えば、給湯用のリモコンやスイッチ類等を壁面に設置する際に、使い勝手の良い位置に設置しようとすると、冷蔵庫や食器棚等によって覆い隠される場合が多いため、冷蔵庫や食器棚等を自由に配置することが困難になる。
【特許文献１】特開平５−１４６３２７号公報
【特許文献２】特開２０００−５０９８２号公報
【発明の開示】
【発明が解決しようとする課題】
【０００４】
一方、例えば勝手口が設けられたキッチンの場合に、勝手口ドアを幅の狭いタイプのものとして、壁面に沿って取り付けられるシステムキッチンの側端面と、勝手口ドアの側縁部との間の狭い壁面に給湯用のリモコンやスイッチ類等を取り付けたり、システムキッチンの長さを通常のものよりも１５ｃｍ程度短くして、短くなった部分の側端面に沿って袖壁（天井までの壁）を設け、この袖壁に給湯用のリモコンやスイッチ類等を取り付ける工夫もなされていたが、設置場所を無理に確保して取り付けることになるため、使い勝手が悪くなる。
【０００５】
本発明は、このような従来の課題に着目してなされたものであり、キッチンの壁面に給湯用のリモコンやスイッチ類等を取り付けることが困難な場合でも、これらを使い勝手の良い位置に容易に設置することを可能にするキッチン用機能ポールを提供することを目的とする。
【課題を解決するための手段】
【０００６】
本発明は、垂直支持部と、操作パネル部とからなり、キッチンの床部又は天井部から支持して、前記操作パネル部を一般居住者の腰部と頭部との間の高さ位置に配置するキッチン用機能ポールを提供することにより、上記目的を達成したものである。
【０００７】
また、本発明のキッチン用機能ポールは、前記垂直支持部を金属棒によって構成することが好ましい。
【０００８】
さらに、本発明のキッチン用機能ポールは、キッチンに設けられたシステムキッチンの通路側の側端面に沿って設けることが好ましい。
【発明の効果】
【０００９】
本発明のキッチン用機能ポールによれば、キッチンの壁面に給湯用のリモコンやスイッチ類等を取り付けることが困難な場合でも、これらを使い勝手の良い位置に容易に設置することができる。
【発明を実施するための最良の形態】
【００１０】
本発明の好ましい第１実施形態に係るキッチン用機能ポール１０は、図１に示すように、例えば住宅建築物の一階の北東角部分において、ダイニングルーム１１に隣接して設けたキッチン１２に取り付けて用いられ、給湯用のリモコンやスイッチ類等（図２参照）を、使い勝手の良い位置及び高さに設置しておくことができるようにするものである。
【００１１】
すなわち、本第１実施形態によれば、キッチン１２は、例えば５畳程度の広さを有する対面式キッチンであって、勝手口１３や窓１４が設けられている。また、ダイニングルーム１１との間を仕切る、一部が対面用の開口部１５ａとなった仕切り壁１５に沿って、水槽１７やコンロ１８等を備えるシステムキッチン１６が、一方の側端面１６ａを勝手口１３が形成された西側の壁面１９ａに当接させた状態で設けられている。さらに、窓１４が形成された北側の壁面１９ｂに沿って、西側端部から２つの食器棚２０ａ，２０ｂが設置されると共に、窓１４を挟んだ東側端部には、冷蔵庫２１が設置されている。さらにまた、冷蔵庫２１の南側には、東側の隣室との間の出入口２２が設けられると共に、出入口２２の南側には、キッチン収納２３が設けられている。キッチン収納２３と、システムキッチン１６の他方（東側）の側端面１６ｂ及び仕切り壁１５の端面との間の部分は、キッチン１２とダイニングルーム１１との間を行き来するための通路２４となっている。
【００１２】
このような大きさ及び間取りを備え、システムキッチン１６等が配置されたキッチン１２では、露出する壁面が極僅かとなっており、キッチン１２で用いる給湯用のリモコンやスイッチ類等を配置するスペースが少なく、これらを使い勝手の良い位置に取り付けることが困難であるため、本第１実施形態のキッチン用機能ポール１０を用いて、給湯用のリモコンやスイッチ類等を操作し易い位置に設置できるようにする。
【００１３】
そして、本第１実施形態のキッチン用機能ポール１０は、図２に示すように、垂直支持部２５と、操作パネル部２６とからなり、キッチン１２の床部１２ａから支持されて、操作パネル部２６が一般居住者の腰部と頭部との間の高さ位置に配置されるようになっている。
【００１４】
また、本第１実施形態では、キッチン用機能ポール１０は、垂直支持部２５が金属棒によって構成されている。さらに、キッチン用機能ポール１０は、キッチン１２に設置されたシステムキッチン１６の通路２４側の側端面１６ｂに沿って設けられている（図１参照）。
【００１５】
垂直支持部２５は、金属棒として、例えば直径が３０〜６０ｍｍ程度の中空パイプからなり、下端部をキッチン１２の床部１２ａに固定して立設配置されると共に、例えば９００〜１２００ｍｍ程度の長さを有していることにより、上端部に取り付けられる操作パネル部２６を、一般居住者の腰部と頭部との間の高さ位置として、例えばシステムキッチン１６のカウンター部２７の上面から当該操作パネル部２６のみが突出する位置に、キッチン１２の床部１２ａから支持した状態で配置する。また、垂直支持部２５の内部には、操作パネル部２６に設けられた給湯用のリモコンやスイッチ類等と接続される各種の配線が、床下部分から延設して配設されている。なお、中空パイプからなる金属棒の太さ、長さ等は、内部に挿通される配線の太さや本数、操作パネル部２６の設置高さ等を鑑みて、適宜設定することができる。また、金属棒を伸縮可能に構成して、操作パネル部２６の高さ位置を適宜調整できるようにすることもできる。
【００１６】
操作パネル部２６は、例えば合成樹脂からなる薄厚の中空箱体であって、その表面側の操作部２６ａには、給湯用のリモコンやスイッチ類等が設けられている。またセンサー類やインターホン等を取り付けることもできる。さらに、本実施形態では、操作パネル部２６は、システムキッチン１６の通路２４側の側端面１６ｂに近接して、前面側の角部分に立設配置した垂直支持部２５に取り付けられることにより、作業頻度の高い、システムキッチン１６のカウンター部２７の側部前面側に設置される。さらにまた、操作パネル部２６は、垂直支持部２５に対して水平方向や垂直方向に回転可能に取り付けておくこともでき、これによって操作部２６ａの向きや方向を任意に設定することが可能になる。なお、操作パネル部２６の大きさ、形状等は、設置するスイッチ類等の種類や数等に応じて適宜設定することができる。
【００１７】
そして、上述の構成を有する本第１実施形態のキッチン用機能ポール１０によれば、キッチン１２に給湯用のリモコンやスイッチ類等を取り付けるのに適した壁面が有るか無いかにかかわらず、これらを使い勝手の良い位置に容易に設置することができる。すなわち、本第１実施形態のキッチン用機能ポール１０は、垂直支持部２５と、操作パネル部２６とからなり、キッチン１２の床部１２ａから支持して、操作パネル部２６を一般居住者の腰部と頭部との間の高さ位置に配置するので、操作パネル部２６の位置及び高さを、操作に適し、且つ邪魔になり難いように選定してキッチン用機能ポール１０を容易に設置することが可能になり、これによって、例えば作業頻度の高いシステムキッチン１６のカウンター部２７の側部前面側に操作パネル部２６を配置するために、好ましくはシステムキッチン１６の通路２４側の側端面１６ｂに沿ってキッチン用機能ポール１０を設けることにより、給湯用のリモコンやスイッチ類等を使い勝手の良い位置に設置することが可能になる。
【００１８】
また、金属棒によって構成された垂直支持部２５と操作パネル部２６とからなる本第１実施形態のキッチン用機能ポール１０は、図３に示すように、操作パネル部２６を下方に配置した倒立状態とし、操作パネル部２６を垂直支持部２５によって天井部から支持して、一般居住者の腰部と頭部との間の高さ位置に設置することもできる。操作パネル部２６を天井部から支持することにより、さらに省スペース化を図ることが可能になり、例えばインターホン親機等を取り付ける場合に有利である。ここで、キッチン用機能ポール１０を支持する天井部には、キッチン１２の天井部の他、例えばシステムキッチン１６の上方に配置された吊り戸棚の底面部等も含まれる。
【００１９】
図４及び図５は、本発明の第２実施形態に係るキッチン用機能ポール２８を示すものである。本第２実施形態によれば、垂直支持部２９の上端部に取り付けられる操作パネル部３０は、やや大きな中空箱体となっており、システムキッチン１６の通路２４側の側端面１６ｂの前面側の部分に沿って、垂直支持部２９を、床部１２ａから立ち上げた配線を中空内部に配設しつつキッチン１２の床部１２ａから立設配置することにより、上端部に一体接合した操作パネル部３０を、システムキッチン１６のカウンター部２７の上方に突出する高さ位置に設置する。
【００２０】
また、本第２実施形態によれば、キッチン用機能ポール２８の操作パネル部３０の厚みが通路２４側に出っ張って通行の邪魔にまらないように、システムキッチン１６として、通常は長さＬ＝２７００ｍｍのものに換えて、例えば長さＬ＝２５５０ｍｍのものを設置し、通路２４側の側端面１６ｂの幅１５０ｍｍのクリアランス部分に、キッチン用機能ポール２８を床部１２ａから立ち上げて設置する。さらに、本第２実施形態によれば、必要に応じて、仕切り壁１５の開口部１５ａを形成する腰壁１５ｂからＬ字形状に折れ曲がるように連続させて、天端面に笠木３２が設置された側部腰壁３１を、通路２４側の側端面１６ｂに沿って設けることもできる。
【００２１】
そして、本第２実施形態のキッチン用機能ポール２８によっても、キッチン１２の床部１２ａから垂直支持部２９によって支持して、操作パネル部３０を一般居住者の腰部と頭部との間の高さ位置に配置することができるので、上記第１実施形態と同様の作用効果を奏することになる。
【００２２】
なお、本発明は上記各実施形態に限定されることなく種々の変更が可能である。例えば、キッチン用機能ポールは、システムキッチンの通路側の側端面に沿って設ける必要は必ずしもなく、使い勝手の良い位置を選定して、キッチン内の適宜の箇所に設けることができる。またキッチン用機能ポールが設けられるキッチンは、対面式キッチンである必要は必ずしもない。
【図面の簡単な説明】
【００２３】
【図１】本発明の好ましい第１実施形態に係るキッチン用機能ポールが設けられたキッチンの略示平面図である。
【図２】本発明の好ましい第１実施形態に係るキッチン用機能ポールの斜視図である。
【図３】本発明の好ましい第１実施形態に係るキッチン用機能ポールの他の使用形態を説明する略示斜視図である。
【図４】本発明の好ましい第２実施形態に係るキッチン用機能ポールが設けられたキッチンの略示平面図である。
【図５】本発明の好ましい第２実施形態に係るキッチン用機能ポールが設けられたキッチンの要部斜視図である。
【符号の説明】
【００２４】
１０，２８  キッチン用機能ポール
１２  キッチン
１２ａ  キッチンの床部
１６  システムキッチン
１６ａ  システムキッチンの一方の側端面
１６ｂ  システムキッチンの他方（通路側）の側端面
２４  通路
２５，２９  垂直支持部
２６，３０  操作パネル部
２６ａ，３０ａ  操作パネル部の操作部
２７  システムキッチンのカウンター部
３１  側部腰壁
３２  笠木
【図１】
2008079871.tif 000003
【図２】
2008079871.tif 000004
【図３】
2008079871.tif 000005
【図４】
2008079871.tif 000006
【図５】
2008079871.tif 000007